(57)【要約】      （修正有）【課題】手だけで使用でき、構造が簡単な両方対称の挟み押しマッサージ器具を提供する。【解決手段】両方対称の挟み押しマッサージ器具は、プラスチックで一体射出成形され、マッサージ器具には中央が少々盛り上がる板状の本体１１があり、本体の下方の四隅にそれぞれ対称する支持脚１２が設けられ、２本の支持脚の間にはすべて逆Ｕ字型の切れ目１３が形成される。支持脚の底面には複数のマッサージ突起１２１が満遍なく設置され、本体の両側にそれぞれ上へ延伸する持ち手１４が連接され、持ち手を握ることまたは置くことで、マッサージ器具は操作しやすくなる。【選択図】図２
0003226680.tif 000002
【実用新案登録請求の範囲】
【請求項１】
中央が少々盛り上がる板状本体を含む両方対称の挟み押しマッサージ器具であって、
上記本体の下方の四隅にそれぞれ対称する支持脚が設けられ、２本の上記支持脚の間はすべて逆Ｕ字型の切れ目が形成され、上記支持脚の底面は複数のマッサージ突起が満遍なく設置され、上記マッサージ突起によって当てることを提供し、上記支持脚の挟みと共に、上記マッサージ器具は動かしたり、捻ったりできる弾力性がある素材の特性を合わせると、上記マッサージ器具は体の各部位のマッサージに使用できることで、挟み押しと揉み解しのリラックス効果を奏し、上記本体の両側にそれぞれ上へ延伸する持ち手が連接され、上記持ち手により握ることまたは置くことを提供することで、上記マッサージ器具は操作しやすくなることを特徴とする両方対称の挟み押しマッサージ器具。
【請求項２】
上記マッサージ器具はプラスチックで一体射出成形されることを特徴とする請求項１の両方対称の挟み押しマッサージ器具。
【請求項３】
上記マッサージ器具は抗菌作用があるプラスチック材質によって作られることを特徴とする請求項１または２の両方対称の挟み押しマッサージ器具。
【請求項４】
上記本体に切り抜き部が設けられることを特徴とする請求項１の両方対称の挟み押しマッサージ器具。
【請求項５】
上記持ち手に切り抜き部が設けられることを特徴とする請求項１または４の両方対称の挟み押しマッサージ器具。
【請求項６】
上記マッサージ器具において複数の切り抜き部が設けられ、また上記切り抜き部は上記本体と持ち手にそれぞれ設けられることを特徴とする請求項１の両方対称の挟み押しマッサージ器具。
【請求項７】
上記二つの持ち手は外側へ拡張するように設けられることを特徴とする請求項１の両方対称の挟み押しマッサージ器具。
【請求項８】
上記支持脚は丸いヘッド状を有する上記底面であることを特徴とする請求項１の両方対称の挟み押しマッサージ器具。
【考案の詳細な説明】
【技術分野】
【０００１】
本考案は両方対称の挟み押しマッサージ器具に関し、特に手だけで使用でき、時間、空間と電源供給などの原因に制限されない両方対称の挟み押しマッサージ器具に関する。
【背景技術】
【０００２】
現代人は生活におけるストレスが大きく、月日を重ねることでたくさんの現代病が生じる。このため、色々な方法で心身のストレスを解消することが特に重要である。その中でも、マッサージによるストレス解消がよく見られる。しかし、従来のマッサージは専門のマッサージ師の技術と時間によって完成されるため、マッサージを受けたい時は特定の時間に行かなければならず、時間と空間の制限を受けやすく、マッサージを受けたい人の要望に添えることができない。さらに長期において金銭面もかかるため、現在は色々な種類のマッサージ器具が市販されている。
【０００３】
しかし、一般的な大型の電動マッサージ器具は変わらず単価が高い問題が残っているため、すべての人が手に入れられるわけがない。また、その体積が大きすぎるため、室内に置く時はたくさんの空間を取ってしまう。一般的な手持ちマッサージ器具の多くは叩き方式で体のマッサージを行うため、もし力加減を間違えると、怪我しやすく、マッサージによるストレス解消の効果は実に限られている。
【０００４】
ということで、構造が簡単で、価格が安い、一般大衆も買える両方対称の挟み押しマッサージ器具を開発し、上述マッサージ器具は握りやすい大きさで、使用または収納において場所を取らない、挟み押しと揉み解しの形態で人体に対してマッサージをし、マッサージする時は体の各部位の曲線によって合わせられ、マッサージによるストレス解消効果を最大限に発揮することは本考案者の目的である。
【０００５】
従って、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００６】
本考案が解決しようとする課題は、従来のマッサージ器具の技術問題点について解決し、両方対称の挟み押しマッサージ器具を提供する。
【課題を解決するための手段】
【０００７】
両方対称の挟み押しマッサージ器具は、該マッサージ器具はプラスチックで一体射出成形され、上述マッサージ器具には中央が少々盛り上がる板状本体があり、上述本体の下方の四隅にそれぞれ対称する支持脚が設けられ、２本の上述支持脚の間はすべて逆Ｕ字型の切れ目が形成される。上述支持脚の底面は複数のマッサージ突起が満遍なく設置され、上述マッサージ突起によって当てることを提供する。上述支持脚の挟みと共に、上述マッサージ器具は動かしたり、捻ったりできる弾力性がある素材の特性を合わせると、上述マッサージ器具は体の各部位のマッサージに使用できることで、挟み押しと揉み解しのリラックス効果を奏する。上述本体の両側にそれぞれ上へ延伸する持ち手が連接され、該持ち手により握ることまたは置くことを提供することで、上述マッサージ器具は操作しやすくなる。このように、両方対称の挟み押しマッサージ器具が得られる。
【考案の効果】
【０００８】
（一）上述マッサージ器具の構造が簡単で、販売価格は比較的に安くできるため、一般大衆に受け入れられやすい。
【０００９】
（二）上述マッサージ器具の構造が簡単で、片手で持ってまたはテーブルなどの平坦面に置くだけで、マッサージに用いられ、使用上において時間、空間に制限されない上、使用後の収納も場所を取らない。
【００１０】
（三）上述マッサージ器具は挟み押しと揉み解しの形態によって人体をマッサージでき、またマッサージする時は人体の形または曲線に合わせて変形できることで、マッサージによるリラックス効果を最大限に発揮できる。
【００１１】
（四）上述マッサージ器具は電源が必要としないため、構造を簡単化でき、体積も小さく、外に持ち出すのも適する。
【００１２】
（五）上述マッサージ器具は自分で操作できるし、他人にマッサージしてもらうこともできる。他人にマッサージしてもらう時は病気を拡散したり、感染したりすることが避けられ、衛生上の要求に相応しい。
【図面の簡単な説明】
【００１３】
【図１】図１は、本考案に係る両方対称の挟み押しマッサージ器具を示す立体図である。
【図２】図２は、本考案の別の角度の立体図である。
【図３】図３は、本考案は腕のマッサージに用いる状態図である。
【図４】図４は、本考案は腕のマッサージに用いる作動図一である。
【図５】図５は、本考案は腕のマッサージに用いる作動図二である。
【図６】図６は、本考案のマッサージ器具を動かす状態図である。
【図７】図７は、本考案のマッサージ器具による挟み押しと揉み解しの状態図である。
【図８】図８は、本考案を大腿部のマッサージに用いる状態図である。
【図９】図９は、本考案を頸部のマッサージに用いる状態図である。
【考案を実施するための形態】
【００１４】
まず、図１と図２を参照されたい。本考案の両方対称の挟み押しマッサージ器具（１０）は、プラスチックで一体射出成形され、上述マッサージ器具（１０）には中央が少々盛り上がる板状本体（１１）があり、上述本体（１１）の下方の四隅にそれぞれ対称する支持脚（１２）が設けられ、２本の上述支持脚（１２）の間はすべて逆Ｕ字型の切れ目（１３）が形成される。上述支持脚（１２）の底面は複数のマッサージ突起（１２１）が満遍なく設置され、上述マッサージ突起（１２１）によって当てることを提供する。上述支持脚（１２）の挟みと共に、上述マッサージ器具（１０）は動かしたり、捻ったりできる弾力性がある素材の特性を合わせると、上述マッサージ器具（１０）は体の各部位のマッサージに使用できることで、挟み押しと揉み解しのリラックス効果を奏する。上述本体（１１）の両側にそれぞれ上へ延伸する持ち手（１４）が連接され、該持ち手（１４）により握ることまたは置くことを提供することで、上述マッサージ器具（１０）は操作しやすくなる。
上述マッサージ器具（１０）は抗菌作用があるプラスチック材質によって作られる。
上述本体（１１）において切り抜き部（１５）が設けられる。
上述マッサージ器具（１０）において切り抜き部（１５）が設けられ、該切り抜き部（１５）は上述本体（１１）と持ち手（１４）にそれぞれ設けられる。
上述二つの持ち手（１４）は外側へ拡張するように設けられる。
上述支持脚（１２）は丸いヘッド状を有する上述底面である。
実際に使用する時、上述マッサージ器具（１０）は上述持ち手（１４）によってテーブルなどの平坦面に直接に置くことで、腕（２０）は上述切り目（１３）より入れられ、また入れた後に該腕（２０）は下へ押さえることによって、上述マッサージ器具（１０）の下半分（持ち手１４）を連動して外へ拡張して変形し、上半分（支持脚１２）は同時に内側へしっかり挟むようになる。上述支持脚（１２）の挟み込みによって、上述マッサージ突起（１２１）が当てて揉み解すことで、使用者が自分の腕（２０）に対してマッサージできる（同時に図３から図５を参照されたい）。また、上述持ち手（１４）によって握ることを提供し、外側へ動かすことで、上述支持脚（１２）を連動して人体の脚部、腰部、腹部、手部、肩、頸部、頭部などの各部位をしっかり挟む後、上述マッサージ突起（１２１）が当てて揉み解し（同時に図６から図９を参照されたい）、該挟み押しと揉み解しのマッサージによって、使用者に本物のマッサージ師がマッサージしてくれる感覚にさせられるため、使用することにあたって、今までになかった快適感とリラックスが得られる。他人に該マッサージ器具（１０）を使ってマッサージしてもらう時、体と体の間は直接の接触がないため、病気（例えば、皮膚病）の拡散と感染が避けられる。上述持ち手（１４）は握ることを提供し、さらに上述マッサージ器具（１０）を捻ると、両側の上述支持脚（１２）が前、後の転位を生じることで、別の挟み押し形態によってマッサージでき、使用者が自分の好みまたはマッサージする部位の違いによって、最も適した形態を選んで操作できる。
【００１５】
上述の具体的な実施例の構造によると、以下の効果が得られる。（一）上述マッサージ器具（１０）の構造が簡単で、販売価格は比較的安くできるため、一般大衆に受け入れられやすい。（二）上述マッサージ器具（１０）の構造が簡単で、片手で持ってまたはテーブルなどの平坦面に置くだけで、マッサージに用いられ、使用上において時間、空間に制限されない上、使用後の収納も場所を取らない。（三）上述マッサージ器具（１０）は挟み押しと揉み解しの形態によって、人体をマッサージでき、またマッサージする時は人体の形または曲線に合わせて変形できることで、マッサージによるリラックス効果を最大限に発揮できる。（四）上述マッサージ器具（１０）は電源が必要としないため、構造を簡単化でき、体積も小さく、外に持ち出すのも適する。（五）上述マッサージ器具（１０）は自分で操作できるし、他人にマッサージしてもらうこともできる。他人にマッサージしてもらう時は病気を拡散したり、感染したりすることが避けられ、衛生上の要求に相応しいである。
【００１６】
以上は、本考案に係る実施例の一部に過ぎないため、本考案の請求範囲を制限するものではない。即ち、本考案の登録請求の範囲内で行われる変化、修飾なども本考案の請求範囲に属すべきである。
【符号の説明】
【００１７】
１０              マッサージ器具
１１              本体
１２              支持脚
１２１            マッサージ突起
１３              切り目
１４              持ち手
１５              切り抜き部
２０              腕
【図１】
0003226680.tif 000003
【図２】
0003226680.tif 000004
【図３】
0003226680.tif 000005
【図４】
0003226680.tif 000006
【図５】
0003226680.tif 000007
【図６】
0003226680.tif 000008
【図７】
0003226680.tif 000009
【図８】
0003226680.tif 000010
【図９】
0003226680.tif 000011